(57)【要約】【課題】撮影中の映像を記録している内蔵記録媒体へ、前記撮影中の映像を記録することができなくなる場合であっても、前記撮影中の映像を継続して記録することを容易且つ確実に行うようにする。【解決手段】ＤＶＣ３０１の内蔵テープ３０３に撮影映像を記録している最中に、内蔵テープ３０３の残り記録容量が少なくなった場合には、前記撮影映像を記録させるようにするためのコマンドをＡＶＨＤＤ３０４〜３０６に発行して、前記撮影映像を記録するための媒体を内蔵テープ３０３からＡＶＨＤＤ３０４〜３０６に移行させるようにすることにより、前記撮影映像を記録するための媒体を自動的に切り替えるようにして、内蔵テープ３０３の記録容量が少なくなった場合であっても、前記撮影映像を継続して記録することができるようにする。【選択図】      図１
2004194190.tif 000002
【特許請求の範囲】
【請求項１】
撮影中の映像を記録媒体に記録する撮影装置であって、
前記撮影中の映像を記録している内蔵記録媒体の残り記録可能容量を検出する記録可能容量検出手段と、
前記記録可能容量検出手段により、前記内蔵記録媒体の残り記録可能容量が所定の値になったことが検出された場合に、ネットワークを介して通信可能に接続された外部記録装置を検出する外部記録装置検出手段と、
前記内蔵記録媒体から、前記外部記録装置検出手段により検出された外部記録装置の記録媒体へ、前記映像を記録するための媒体を移行する記録媒体移行手段とを有することを特徴とする撮影装置。
【発明の詳細な説明】
【０００１】
【発明の属する技術分野】
本発明は撮影装置に関し、特に撮影中の映像を記録するために用いて好適なものである。
【０００２】
【従来の技術】
従来の撮影装置（デジタルビデオカメラなど）では、テープなどの内蔵記録媒体に撮影映像の記録を行うことが可能である。
【０００３】
【発明が解決しようとする課題】
しかしながら、従来の撮影装置では、内蔵記録媒体であるテープの残量を常に気にしなければならず、テープなどを入れ替えしている最中は、映像の記録を停止しなければならないという欠点があった。
【０００４】
また、ネットワークなどで外部との接続を行っている場合でも、映像記録の切り替えは、撮影者の判断により手動で行わなければならず、切り替え操作の煩雑さを気にすることで撮影状態へ影響を及ぼすことがあった。
【０００５】
このように従来の撮影装置では、撮影中の映像を記録している内蔵記録媒体へ、前記撮影中の映像を記録することができなくなる場合には、前記撮影中の映像を継続して記録することが困難であるという問題点があった。
【０００６】
本発明の目的は上述の問題点に鑑みてなされたものであり、撮影中の映像を記録している内蔵記録媒体へ、前記撮影中の映像を記録することができなくなる場合であっても、前記撮影中の映像を継続して記録することを容易且つ確実に行うようにすることを目的とする。
【０００７】
【課題を解決するための手段】
本発明の撮影装置は、撮影中の映像を記録媒体に記録する撮影装置であって、前記撮影中の映像を記録している内蔵記録媒体の残り記録可能容量を検出する記録可能容量検出手段と、前記記録可能容量検出手段により、前記内蔵記録媒体の残り記録可能容量が所定の値になったことが検出された場合に、ネットワークを介して通信可能に接続された外部記録装置を検出する外部記録装置検出手段と、前記内蔵記録媒体から、前記外部記録装置検出手段により検出された外部記録装置の記録媒体へ、前記映像を記録するための媒体を移行する記録媒体移行手段とを有することを特徴とする。
【０００８】
【発明の実施の形態】
以下、図面を参照しながら、本発明によるの実施形態について説明を行う。
図１は、本実施形態のネットワーク構成図を示す。なお、図１に示すネットワークは、ＵＰｎＰ（Universal Plug and Play）に準拠したものである（参考文献：Universal Plug and Play Device Architecture, Version 1.0, 08 Jun 2000）。
【０００９】
図１において、３０１はＤＶＣ（デジタルビデオカメラ）である。３０２はデジタルインターフェースであるIEEE1394ケーブルである。３０３は内蔵テープである。３０４は第１のＡＶＨＤＤ（ハードディスク、AVHDD1）である。３０５は第２のＡＶＨＤＤ（ハードディスク、AVHDD2）である。３０６は第３のＡＶＨＤＤ（ハードディスク、AVHDD3）である。なお、以下の説明では、第１〜第３のＡＶＨＤＤ３０４〜３０６を外部記録装置と表す。
【００１０】
図１に示すように、ＤＶＣ３０１と、第１〜第３のＡＶＨＤＤ３０４〜３０６とは、IEEE1394ケーブル３０２で接続され、映像の出力及び入力が相互に可能な状態を保っている。
【００１１】
ＤＶＣ３０１には、内蔵記録媒体として内蔵テープ３０３を有しており、通常の映像は、ＤＶＣ３０１に配設されているレンズからＤＶフォーマットに変換されて内蔵テープ３０３に記録される。
【００１２】
図２にＤＶＣ３０１の内部構成のブロック図を示す。
図２において、４０１はカメラである。４０２は信号処理回路である。４０３は表示部である。４０４はテープ制御回路である。４０５はＵＰｎＰ制御部である。４０６はIEEE1394入出力回路である。４０７はシステムコントローラである。また、図２において、実線は信号を示し、破線は情報の流れを示している。
【００１３】
なお、ＤＶＣ３０１には当然、オーディオ回路があり、音も録音されるが、本実施形態では簡単化のためにオーディオ回路は省略して説明する。しかしながら、オーディオ回路においてもビデオ回路と同様の処理がされているということは勿論である。
【００１４】
カメラ４０１で撮影された映像は、信号処理回路４０２で内蔵テープ３０３に記録するためのフォーマットへ変換されてテープ制御回路４０４へ送られる。また、このカメラ４０１で撮影された映像は、表示部４０３とIEEE1394入出力回路４０６にも送られる。なお、以下の説明では、前記カメラ４０１で撮影された映像を、撮影映像と表す。
【００１５】
ユーザーは、表示部４０３に映し出される撮影映像を見ながら必要な映像を記録することができる。
ユーザーが撮影映像の記録を開始すると、その情報がシステムコントローラ４０７へ伝わる。そして、システムコントローラ４０７は、テープ制御回路４０４に対して、撮影映像を内蔵テープ３０３へ記録することを指示する。
【００１６】
テープ制御回路４０４は、フォーマットに則した記録を行うために、タイムコードなどのつなぎ動作やサーボなどの処理を行い、撮影映像を内蔵テープ３０３上に正しく記録するための動作を開始する。
【００１７】
また、テープ制御回路４０４は、内蔵テープ３０３の残り容量を把握するために、内蔵テープ３０３全体の容量からの現在の撮影位置情報（現在のテープ位置）を読み取り、システムコントローラ４０７へ通知する。
【００１８】
システムコントローラ４０７は、通知されたテープ位置から、残り記録可能時間を算出し、その残り記録時間を表示部４０３へ表示する。このとき、システムコントローラ４０７は、ユーザーフレンドリーな形式で前記残り記録時間を表示する。
【００１９】
また、テープ制御回路４０４は、ジャムと呼ばれる内蔵テープ３０３の異常状態や、内蔵テープ３０３の有無などを把握するための検出回路も制御している。そして、内蔵テープ３０３の異常が検出された場合には、そのことをシステムコントローラ４０７へ最優先で知らせる。
【００２０】
ここで、図３のフローチャートを参照しながら、撮影映像を記録する媒体を内蔵テープ３０３から外部記録機器に移行する際の主要な処理の一例を説明する。
【００２１】
まず、テープ制御回路４０４は、内蔵テープ３０３があることを確認すると（ステップＳ１）、内蔵テープ３０３への録画が可能であるかどうかを確認する（ステップＳ２）。
【００２２】
そして、内蔵テープ３０３への録画が可能な場合には、表示部４０３に内蔵テープ３０３の情報を表示して内蔵テープ３０３に撮影映像を記録させるようにする（ステップＳ３）。
【００２３】
一方、内蔵テープ３０３がない場合には（ステップＳ１）、内蔵テープ３０３が入っていないことを表示部４０３へ通知する（ステップＳ４）。
【００２４】
また、内蔵テープ３０３への録画が不可能な場合には、外部記録装置への録画を開始するために録画フラグをＯＮにする（ステップＳ５）。
【００２５】
その後システムコントローラ４０７は、ＵＰｎＰ制御回路４０５に対して、ネットワーク内に接続された外部記録装置を検索するためのコマンドを発行するように指示する（ステップＳ６）。
【００２６】
ＵＰｎＰ制御回路４０５の検索により、外部記録装置として使用可能なデバイスが検出できた場合、ＵＰｎＰ制御部４０５は、システムコントローラ４０７に対してそのことを通知する（ステップＳ７）。
【００２７】
システムコントローラ４０７は、ＵＰｎＰ制御回路４０５に対して、検出した順に外部記録装置の残り記録可能容量を問い合わせるためのコマンドを送る。
【００２８】
ＵＰｎＰ制御回路は、前記外部記録装置の検索を行うためのコマンドを発行してからレスポンスが返ってくるまでの時間（反応時間）を計測する。そして、この計測した時間と前記外部記録装置の記録可能容量とをシステムコントローラ４０７に通知する（ステップＳ８、Ｓ９）。
【００２９】
システムコントローラ４０７は、前記通知された時間と、前記外部記録装置の記録可能容量とから、最適な外部記録装置を決定し、撮影映像の記録を行うための外部記録装置の優先順位を保存しておく（ステップＳ１０）。
【００３０】
外部記録装置への録画フラグがＯＮになっている場合には（ステップＳ１１）、ＵＰｎＰ制御回路４０５の録画コマンドを発行し、外部記録装置が撮影映像の録画をすぐに開始できるようにする（ステップＳ１２）。
【００３１】
ネットワーク内に該当する外部記録装置が存在しない場合は（ステップＳ７）、撮影映像を記録することが可能な機器がＵＰｎＰネットワーク内に存在しなかったことを表示部４０３に通知し（ステップＳ１３）、外部記録装置への録画フラグをＯＦＦにする（ステップＳ１４）。そして、ユーザーから指定された録画開始の要求を取り消し、録画ができないことを表示部４０３へ通知する。
【００３２】
次に、図４のフローチャートを参照しながら、外部記録装置の記録順序を決定する際（図３のステップＳ１０における撮影映像の記録を行うための外部記録装置の優先順位を決定する際）の具体的な処理を説明する。
【００３３】
まず、システムコントローラ４０７は、各外部記録装置における反応時間を比較するとともに、残りの記録可能容量を比較し、これらの比較結果から最適な機器の選択を行う（ステップＳ２１）。
【００３４】
そして、システムコントローラ４０７は、自機に内蔵テープ３０３などの内蔵記録媒体がセットされていないのにも拘わらず撮影画像の記録が要求されている場合には（ステップＳ２２）、すぐに記録を開始する必要があるために、前記反応時間の早い外部記録装置から順に優先度をつけていく（ステップＳ２３〜Ｓ２５）。
【００３５】
一方、撮影映像を記録している最中である場合には（ステップＳ２２）、撮影映像の記録を継続する回数を減らすために、前記残り記録可能容量の多い外部記録装置から順に優先度をつけていく（ステップＳ２４〜Ｓ２８）。
【００３６】
システムコントローラ４０７内では、このようにして優先度をつけたテーブルを保持している。また、システムコントローラ４０７は、ＵＰｎＰ制御回路４０５で得た情報を基づいて、ＵＰｎＰネットワークに追加された新たな外部記録装置についても前記優先度の比較の対象として扱う。
【００３７】
このため、新たな外部記録装置が追加された場合には、前記追加された新たな外部記録装置に問い合わせて、前記反応時間と前記残り記録可能容量とを取得する。そして、現在記録中の外部記録装置を除いた新たなテーブルへ前記取得した内容を追加する。
【００３８】
もちろんＵＰｎＰネットワークから削除された外部記録装置があれば、保持したテーブル内からその外部記録装置に関する情報を抜き出して前記テーブルの更新を行う。
図５に、外部記録装置の記録順序を保存するためのテーブルの一例を示す。
【００３９】
内蔵テープ３０３内に撮影映像を記録することが可能な場合は、ユーザーによる記録開始要求があってからすぐにフォーマットに則した形式で内蔵テープ３０３内に録画を開始する（図３のステップＳ２、Ｓ３）。
【００４０】
また、前述したＵＰｎＰネットワーク上にある外部記録装置の検索は、この内蔵テープ３０３への録画と並行に行う。そして、システムコントローラ４０７は、前記検索した結果から優先度のついたテーブル５０を構成していく。
【００４１】
前述したように、テープ制御回路４０４による前記テープ位置の検出によって、システムコントローラ４０７は、前記残り記録可能時間を算出する。そして、システムコントローラ４０７は、算出した残り記録可能時間と、各外部記録装置における記録開始までの反応時間とを比較する。
この外部記録装置における記録開始までの反応時間は、図５に示した優先順位をつけたテーブル５０に登録されている（図５の記録開始時間）。
【００４２】
ここで、図６のタイムチャートと図７のフローチャートを参照しながら、内蔵テープ３０３への記録から外部記録装置への記録に移行する際の具体的な処理について説明する。
【００４３】
図６内で示しているシステムコントローラなどは図２で示したものと同じである。
また、外部記録装置は、図１で示したＡＶＨＤＤ３０４〜３０５の中の１つである。内蔵テープ３０３への記録中は、表示部４０３には撮影映像が映し出されている。また、システムコントローラ４０７は、常に内蔵テープ３０３の状態に関する情報を得ている。
【００４４】
内蔵テープ３０３の残り記録可能容量に対応する残り記録可能時間が、テーブル５０内に保存されている最優先度を持つ外部記録装置の記録開始時間の１０秒前になったら（ステップＳ３１、Ｓ３２）、システムコントローラ４０７は、表示部４０３に対して、外部記録装置に撮影映像の記録を継続するための表示を行う（時間Ｔ８０１）。
【００４５】
ユーザーは、この表示を見て内蔵テープ３０３以外に撮影映像を記録したくない場合は、録画停止を要求する。ユーザーからの応答がなければ、テーブル５０を参照して（ステップＳ３３）、内蔵テープ３０３の残りの記録可能時間と、外部記録装置の記録開始時間とが重なるように、外部記録装置に対して、撮影映像の記録開始を要求するためのコマンドを発行する（時間Ｔ８０２、ステップＳ３４〜Ｓ３７）。
【００４６】
外部記録装置は、前記撮影映像の記録開始の要求を受け取った後、前記撮影映像を記録するための準備を行い、入力される撮影映像を内蔵記録媒体へ記録していく。
【００４７】
また、外部記録装置への録画が始まった時点で、撮影映像を記録する媒体が、内蔵テープ３０３から外部記録装置に変更されたことを表示部４０３へ表示する（時間Ｔ８０３）。なお、この処理において、撮影映像の記録が、内蔵テープ３０３から外部記録装置へ実際に移行した時点で、表示部４０３の表示を変更する。
【００４８】
また内蔵テープ３０３の残量が正確にわからない場合や、外部記録装置の記録開始時間に多少の誤差がある場合が考えられるため、ＵＰｎＰで規定されている３０秒を最大値として、外部記録装置へ記録継続サービスを開始するタイミングを決定する。
【００４９】
撮影映像の記録を開始するまでの外部記録装置の動作は、ＵＰｎＰ制御部４０４における応答時間とは必ずしも一致しない。このため、ＵＰｎＰ制御部４０４が前記撮影映像の記録開始を要求するためのコマンドを発行してから、内蔵テープ３０３の残り記録可能容量がゼロになるまでの時間を予測する必要がある。
【００５０】
本実施形態では、内蔵テープ３０３の終わりの方に録画されている部分と、外部記録装置に始めに録画されている部分とを重ならせるという方法を用いることにより、ユーザーが撮影している映像を継続して記録することが確実に行われるようにしている。すなわち、このような方法を用いることにより、ユーザーが撮影している映像に対して、未記録部分が生じしてしまうことを確実に防止するようにしている。
【００５１】
そのために、本実施形態では、ＵＰｎＰでの３０秒というコマンドの最大値を利用する。すなわち、テーブル５０に登録されている記録開始時間が３０秒未満である場合には、記録を継続して行うための一連の処理を、内蔵テープ３０３の残り記録可能容量がゼロになる３０秒前から開始する。
【００５２】
また、テーブル５０に登録されている記録開始時間が３０秒以上である場合には、記録を継続して行うための一連の処理を、テーブル５０に登録されている記録開始時間よりも５秒ほど早めに開始する。これにより、内蔵テープ３０３から外部記録装置へスムーズに記録を継続することができる。
【００５３】
一方、外部記録装置として多くの映像記録機器が存在し、全ての映像記録機器の残り記録可能容量もしくは残り記録可能時間が取得できる場合には、外部記録装置から他の外部記録装置へ記録を継続することができる。
【００５４】
ＵＰｎＰネットワーク内に複数の外部記録装置が存在している場合には、優先度をつけたテーブル５０に複数の機器が追加されていることになる。
【００５５】
そして、優先度の高い機器から順に、残り記録可能時間と記録開始時間とを計算し、内蔵テープ３０３から外部記録装置への記録を行うときと同じようにして、撮影映像の記録開始を要求するためのコマンドを発行し、外部記録装置へ記録を継続させることができるようにする。
【００５６】
ＵＰｎＰネットワークでは、デバイスが途中で消えてしまう場合があるため、デバイス側から一定の間隔でメッセージが届かない場合や、メッセージ内に記述されている有効期間を超えた場合には、コントロールポイント側でデバイスの削除作業を行わなければならない。
【００５７】
このことより、メッセージが送られてきてからこのメッセージの有効期間内に記録を継続する作業を行わなければならない状態が発生することがある。
もし、記録を継続しようとしているデバイスがネットワーク内から削除されている場合には、撮影映像の記録を継続することに失敗することになり、次の優先度のデバイスへコマンドを発行したとしても、撮影映像が記録されていない無記録部分が発生する可能性がある。
【００５８】
そのために、外部記録装置が複数ある場合には（ステップＳ３４）、撮影映像の記録を継続するための処理を行う前に再度ＵＰｎＰネットワークから外部撮影装置を検索し、撮影映像を記録することが可能なデバイスについてのテーブルを作り直す必要がある（ステップＳ３５、Ｓ３６）。
【００５９】
正常な記録時にはこれまでに説明してきた方法で撮影映像の記録を継続することが可能である。しかし、内蔵テープ３０３や外部記録装置に異常が発生した場合は、撮影映像を緊急に転送する必要がある。このような場合には、無記録部分を最小限に抑える必要がある。
【００６０】
すでに外部記録装置についてのテーブル５０が構成され、外部記録装置が存在する場合には、撮影映像を記録するのを開始するまでの時間（記録開始時間）が最も短い外部記録装置に対して、前記撮影映像の記録開始を要求するためのコマンドを発行する。
【００６１】
また、これと同時に、ＵＰｎＰネットワークから外部撮影装置を検索する。そして、テーブル５０に保存されている外部記録装置よりも早く撮影映像の記録を開始することができる機器を新たに検出した場合には、前記撮影映像の記録開始を要求するためのコマンドを、前述したのと同じようにして前記新たに検出した外部記録装置に発行する。
【００６２】
この場合、２台の外部記録装置で同時に録画が始まってしまう事態が発生するが、異常が発生した時にテーブル５０内に保存されている外部記録装置へ撮影映像を記録することが成功した場合には、前記新たに検出した外部記録装置への記録を停止させる。そして、前記撮影映像の記録を開始した時の位置へポジションを戻すように、前記新たに検出した外部記録装置へコマンドを発行する。
【００６３】
また、前記新たに検出した外部記録装置が記録した内容を削除することが可能である場合には、二重録画になった部分を削除するコマンドを前記新たに検出した外部記録装置へ発行する。その後、ＵＰｎＰネットワークから外部撮影装置を再度検索して、新たなテーブル５０を作成し、次の記録継続処理へ備える。
【００６４】
また、異常が回避されたときに内蔵テープ３０３への記録が可能である場合には、外部記録装置から内蔵テープ３０３へ撮影映像の記録を移行し、外部記録装置についてはテーブル５０の更新を行い、適切な優先度をつける。
【００６５】
以上のように本実施形態では、ＤＶＣ３０１に内蔵されている内蔵テープ３０３に撮影映像を記録している最中に、内蔵テープ３０３の残り記録容量が少なくなった場合には、前記撮影映像を記録させるようにするためのコマンドをＡＶＨＤＤ（外部撮影装置）に発行して、前記撮影映像を記録するための媒体を内蔵テープ３０３からＡＶＨＤＤ（外部撮影装置）３０４〜３０６に移行させるようにしたので、内蔵テープ３０３の記録容量が少なくなった場合には、前記撮影映像を記録するための媒体を自動的に切り替えることができる。これにより、内蔵テープ３０３の記録容量が少なくなった場合であっても、前記撮影映像を継続して記録することを容易且つ確実に行うことができる。
【００６６】
また、２台の外部記録装置で同時に録画が始まってしまう事態が発生した場合には、異常が発生した時にテーブル５０内に保存されている外部記録装置と異なる方の外部記録装置の記録を停止させ、前記撮影映像の記録を開始した時の位置へポジションを戻すように、前記記録を停止させた外部記録装置へコマンドを発行するようにし、さらに、二重録画になった部分を削除するコマンドを、前記記録を停止させた外部記録装置へ発行するようにしたので、撮影画像が２つの外部記録装置で二重録画されることを防止することができる。
【００６７】
また、各外部記録装置の記録可能容量を取得してテーブル５０に保存し、このテーブル５０の内容に基づいて、撮影画像を記録する機器を決定するようにしたので、撮影映像を長時間記録することが記録することができ、なお且つ撮影映像の記録を継続する回数を可及的に減らすことができる。
【００６８】
さらに、各外部記録装置における記録を開始するまでの時間（反応時間）を取得してテーブル５０に保存し、このテーブル５０の内容に基づいて、撮影画像を記録する機器を決定するようにしたので、撮影画像を記録している最中に、その記録をしている機器に異常が発生した場合には、可及的に早く記録を開始することができる外部記録装置をテーブル５０から選択し、選択した外部記録装置を用いて撮影画像の記録を継続することができる。これにより、緊急時やユーザーの誤動作によって、映像を撮り逃してしまうことを最小限に抑えることができる。
【００６９】
なお、本実施形態のように、内蔵テープ３０３の残りの記録可能時間と、外部記録装置の記録開始時間とが重なるように、撮影映像の記録開始を要求するためのコマンドを外部記録装置に発行して、内蔵テープ３０３の終わりの方に録画されている部分と、外部記録装置に始めに録画されている部分とを重ならせるようにすれば、ユーザーが撮影している映像を継続して記録することが確実に行われ好ましいが、内蔵テープ３０３の記録終了時間と、外部記録装置の記録開始時間とを一致させるようにしてもよい。
【００７０】
また、本実施形態では、簡単化のため映像のみを扱い音声の継続については説明を行わなかったが、音声についても同様にして記録を継続させるようにすることが可能である。また、デジタルインターフェースはIEEE1394に限定されず、映像や音声の同期通信が可能なものであれば、どのようなものであってもよい。
【００７１】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００７２】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００７４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって上述した実施形態の機能が実現される場合にも本発明に含まれることは言うまでもない。
【００７５】
【発明の効果】
以上説明したように本発明によれば、撮影中の映像を記録している内蔵記録媒体の残り記録可能容量が所定の値になった場合に、ネットワークに接続された外部撮影装置を検出し、前記内蔵記録媒体から前記検出した外部撮影装置の記録媒体に、前記撮影中の映像を記録するための媒体を移行するようにしたので、前記撮影中の映像を記録している内蔵記録媒体へ、前記撮影中の映像を記録することができなくなる場合であっても、前記検出した外部撮影装置の記録媒体に前記撮影中の映像を記録することができる。これにより、内蔵記録媒体の状態に拘わらず、撮影中の映像を継続して記録することを容易且つ確実に行うことができる。
【図面の簡単な説明】
【図１】本発明の実施の形態を示し、ネットワークの構成の一例を示した図である。
【図２】本発明の実施の形態を示し、ＤＶＣの内部構成の一例を示したブロック図である。
【図３】本発明の実施の形態を示し、撮影映像を記録する媒体を内蔵テープから外部記録機器に移行する際の主要な処理の一例を説明するフローチャートである。
【図４】本発明の実施の形態を示し、撮影映像を記録するための外部記録装置を選択する際の処理の一例を説明するフローチャートである。
【図５】本発明の実施の形態を示し、外部記録装置の記録順序を保存するためのテーブルの一例を示した図である。
【図６】本発明の実施の形態を示し、内蔵テープへの記録から外部記録装置への記録に移行する際の具体的な処理を説明するタイムチャートである。
【図７】本発明の実施の形態を示し、内蔵テープへの記録から外部記録装置への記録に移行する際の具体的な処理を説明するフローチャートである。
【符号の説明】
３０１  ＤＶＣ(デジタルビデオカメラ)
３０２  IEEE1394ケーブル
３０３  テープ
３０４〜３０６  ハードディスク
４０１  カメラ
４０２  信号処理回路
４０３  表示部
４０４  テープ制御回路
４０５  ＵＰｎＰ制御部
４０６  IEEE1394入出力回路
４０７  システムコントローラ
【図１】
2004194190.tif 000003
【図２】
2004194190.tif 000004
【図３】
2004194190.tif 000005
【図４】
2004194190.tif 000006
【図５】
2004194190.tif 000007
【図６】
2004194190.tif 000008
【図７】
2004194190.tif 000009